(57)【要約】【課題】本発明は、従来のテレビ受信機利用者の視点から、より簡便に、利用者が望むＶＯＤコンテンツ、あるいは、コンテンツ群を提示すること。【解決手段】ＶＯＤコンテンツを記憶し、送信するＶＯＤサーバと、ＶＯＤコンテンツを受信するＶＯＤ受信装置からなるＶＯＤ送受信システムであって、ＶＯＤサーバはディジタル放送を受信し、受信したディジタル放送の番組識別ＩＤとＶＯＤサーバに記憶されているＶＯＤコンテンツを関連付けたＶＯＤコンテンツリストデータを作成し記憶し、ＶＯＤ受信装置がディジタル放送から受信した番組識別ＩＤをＶＯＤサーバに送信した場合、ＶＯＤサーバは送信された番組識別ＩＤと一致する番組識別ＩＤをもつＶＯＤコンテンツリストデータをＶＯＤ受信装置に送信し、ＶＯＤ受信装置は、ＶＯＤコンテンツリストデータを表示する。【選択図】図１
2008312084.tif 000002
【特許請求の範囲】
【請求項１】
ＶＯＤコンテンツを記憶し、送信するＶＯＤサーバと、ＶＯＤコンテンツを受信するＶＯＤ受信装置からなるＶＯＤ送受信システムにおいて、
前記ＶＯＤサーバはディジタル放送を受信し、受信したディジタル放送の番組識別ＩＤと前記ＶＯＤサーバに記憶されているＶＯＤコンテンツを関連付けたＶＯＤコンテンツリストデータを作成し記憶し、
前記ＶＯＤ受信装置がディジタル放送から受信した番組識別ＩＤを前記ＶＯＤサーバに送信した場合、前記ＶＯＤサーバは前記送信された番組識別ＩＤと一致する番組識別ＩＤをもつＶＯＤコンテンツリストデータを前記ＶＯＤ受信装置に送信し、
前記ＶＯＤ受信装置は、前記ＶＯＤコンテンツリストデータを表示することを特徴とするＶＯＤ送受信システム。
【請求項２】
さらに、前記ＶＯＤ受信装置に表示されたＶＯＤコンテンツリストを用いて、ＶＯＤコンテンツを選択すると、前記ＶＯＤサーバから、選択したＶＯＤコンテンツが送信されることを特徴とする請求項１に記載のＶＯＤ送受信システム。
【発明の詳細な説明】
【技術分野】
【０００１】
本発明は、ディジタル放送受信機において、特定のディジタル放送コンテンツから、それと関連する、あるいは、類似するＶＯＤコンテンツを、ディジタル放送受信機利用者に提供するＶＯＤ送受信システムに関するものである。
【背景技術】
【０００２】
近年、ＡＤＳＬや光ファイバー網を利用したブロードバンド環境の整備が整い、ネットワークを利用したさまざまなサービスが急拡大している。その中でも、利用者が見たいときの映像がみられるサービスとして、ＶＯＤ（Ｖｉｄｅｏ  Ｏｎ  Ｄｅｍａｎｄ）が注目されている。ＶＯＤは、利用者の側から、配信開始時間や配信する動画コンテンツを指定し、ＩＰネットワーク網を介して動画データを受信、再生を行うサービスである。ネットワークを介したデータを受信しながら、再生を行うという点で、ストリーミング放送とも呼ばれている。
【０００３】
ＶＯＤは、従来の地上、衛生の電波を利用したテレビ放送とは、大きく異なる。従来のテレビ放送は、放送局が、受信機利用者の嗜好にマッチすると予想したコンテンツを選択し、その選ばれた（製作された）コンテンツを、受信機利用者全員が、放送されるままに視聴を行う。一方、ＶＯＤでは、視聴者が個々人の嗜好に合わせて、ＶＯＤサーバに蓄積されたコンテンツ群の中から、自由に見たいタイミングで、見たいコンテンツを選んで視聴することができる。
【０００４】
現在提供されているＶＯＤサービスは、受信機やＰＣから、専用ポータルサイトにアクセスし、サーバにカテゴライズされて蓄積されたコンテンツ群の中から、利用者が所望するコンテンツを選択し視聴を行うのが一般的である。このようなサービス形態は、利用者が視聴したいコンテンツをあらかじめ明確に定めた上で、利用者側から、能動的に専用ポータルサイトにアクセスし行われる。
【０００５】
しかし、これらのＶＯＤサービスの提供を受ける一連の作業は、従来のテレビ放送を受信する作業よりも複雑であり、ＶＯＤサービスの利用者を拡大させる上で大きな障害となる。従来のテレビ放送利用者にも受け入れられやすい、より簡便な操作でＶＯＤサービスを受けられるようになれば、より多くの人がＶＯＤサービスの恩恵を受けることができる。
【０００６】
特許文献１では、ディジタル放送で利用されているＴＳ（Ｔｒａｎｓｐｏｒｔ  Ｓｔｒｅａｍ）に多重化されているＥＩＴセクションによる番組情報と同一の方法を用いて、ＶＯＤサーバで提供するコンテンツの情報を番組情報として受信機に蓄積させ、利用者に提示する手法を提案している。これにより、利用者は、ディジタル放送の番組表を見て放送局を選ぶのと同様の感覚で、ＶＯＤサーバに蓄積されたコンテンツを選択し利用できるようになる。
【特許文献１】特開２００４−１３４８４７号公報
【発明の開示】
【発明が解決しようとする課題】
【０００７】
しかし、ＶＯＤの放送コンテンツ数は、限られた放送局から放映される従来のテレビ放送と比較して非常に多く、また、従来のテレビ放送のように時系列に放送されるものではないので、従来のテレビ放送と同一の電子番組表では番組情報を表示できない。したがって、ユーザーは数多くのＶＯＤコンテンツの中から所望のＶＯＤコンテンツを選択することは困難であった。
【０００８】
本発明は、より簡便に、利用者が望むＶＯＤコンテンツ、あるいは、コンテンツ群を提示するＶＯＤ送受信システムを提供することを目的とする。
【課題を解決するための手段】
【０００９】
本発明は、ＶＯＤコンテンツを記憶し、送信するＶＯＤサーバと、ＶＯＤコンテンツを受信するＶＯＤ受信装置からなるＶＯＤ送受信システムであって、ＶＯＤサーバはディジタル放送を受信し、受信したディジタル放送の番組識別ＩＤとＶＯＤサーバに記憶されているＶＯＤコンテンツを関連付けたＶＯＤコンテンツリストデータを作成し記憶し、ＶＯＤ受信装置がディジタル放送から受信した番組識別ＩＤをＶＯＤサーバに送信した場合、ＶＯＤサーバは送信された番組識別ＩＤと一致する番組識別ＩＤをもつＶＯＤコンテンツリストデータをＶＯＤ受信装置に送信し、ＶＯＤ受信装置は、ＶＯＤコンテンツリストデータを表示する。
【発明の効果】
【００１０】
かかる構成により、ユーザーは視聴するＶＯＤコンテンツを容易に選択することが可能となる。
【発明を実施するための最良の形態】
【００１１】
（実施の形態１）
図１は、本発明の一実施の形態として、ＶＯＤを受信可能なテレビ受信機１０と、ＶＯＤサーバ２０からなるＶＯＤシステムの構成を示すブロック図である。
【００１２】
テレビ受信機１０は、ディジタル放送で用いられているＴＳを受信できるものとし、図１のＴＳデコーダ部１において、ＴＳに多重化されて配信されているＥＩＴセクションを取得することが可能であるものとする。
【００１３】
ＥＩＴセクションには、図２に示すように、番組の開始時間（ｓｔａｒｔｔｉｍｅ）、放送時間、タイトル（ｅｖｅｎｔ  ＩＤ）、カテゴリ、番組概要、ＥＳの編成といった、電子番組表（ＥＰＧ）を生成するために、必要な情報が記載されている。
【００１４】
テレビ受信器１０は、ＴＳデコーダ部１においてデコードされたＥＩＴセクションを主記憶部２に一時記憶し、図３に示す番組情報に変換して、不揮発性記憶媒体３に保存する。ユーザーが、電子番組表を起動させる場合には、不揮発性記憶媒体３に蓄積保存された番組情報が読み出され、電子番組表が利用者に提示される。
【００１５】
番組情報についてさらに説明する。ディジタル放送では、ネットワーク、ＴＳ、サービス、イベント（番組）のそれぞれに対して、ＩＤが付与されている。ネットワークを示すＩＤとしては、ＴＳを配信するネットワークを識別するＮｅｔｗｏｒｋＩＤが付与されている。ＴＳを示すＩＤとしては、１つのネットワーク内で、ＴＳを識別するためのＴＳＩＤが付与されている。サービスを示すＩＤとしては、１つのＴＳ内で、多重化されているサービスを識別するＳｅｒｖｉｃｅＩＤが付与されている。イベントを示すＩＤとしては、１つのサービスで、放送されている各イベント（番組）を識別するＥｖｅｎｔＩＤが付与されている。
【００１６】
これらの４つのＩＤを用いることで、現在放送されている（あるいは、放送予定にある）番組を一意に識別することが可能である。
【００１７】
本実施の形態におけるテレビ受信機１０では、主記憶部２においてＥＩＴセクションを番組を識別するためのＩＤ（ＮｅｔｗｏｒｋＩＤ、ＴＳＩＤ、ＳｅｒｖｉｃｅＩＤ及びＥｖｅｎｔＩＤ）を含む番組情報に変換し、不揮発性記憶媒体３に保存する。これにより、ユーザーが指し示した番組を上記４つのＩＤで一意に表すことができる。
【００１８】
また、ＶＯＤサーバ２０は、ディジタル放送の番組情報の収集をする。収集の具体的方法としては、テレビ受信機で行っているのと同様に、リアルタイムに、ディジタル放送電波を受信しても良いし、放送局から直接ＩＰネットワーク網等を通じて入手しても良い。
【００１９】
さらに、テレビ受信機１０の不揮発性記憶媒体３に記憶されている番組情報から、ユーザーが興味を抱くと予測できるコンテンツ群あるいは、ユーザーに薦めたいコンテンツ群を、ＶＯＤサーバ２０が保有するコンテンツ群の中から選び出し、サーバ内のＶＯＤコンテンツを一意に識別するコンテンツＩＤにより関連付けをし、番組情報とコンテンツＩＤをリストデータとして不揮発性記憶媒体８に保持する。リストデータを不揮発性記憶媒体８に記憶しておくことにより、ある特定の番組を選んだ時、選んだ番組の番組情報を持つリストデータを参照することによって、関連付けられたＶＯＤコンテンツ群を瞬時に提示できる。リストデータの一例を図４に示す。図４に記載の番組情報は、コンテンツＩＤが０１００のドラマＡ第１話、コンテンツＩＤが０１０１のドラマＡ第２話、コンテンツＩＤが０２００のドラマＢ第１話、コンテンツＩＤが０２０１のドラマＢ第２話、及び、コンテンツＩＤが０３００の映画Ａと関連付けられている。
【００２０】
次にテレビ受信機１０のユーザーが、提供されている番組群の中から、特定の番組を指し示す手法について述べる。ユーザーが番組の選択をするには、例えば、電子番組表を用いる。電子番組表は、一般的にマトリクス状、あるいは、リスト状に格子データが配置された形態となっており、各格子ブロックが、一意に放送番組を示すブロックとなっている。ユーザーは、リモコンによる十字キー操作を行うことにより、表示されている番組の中から、１つの番組情報を選ぶ（図５（ａ）参照）。
【００２１】
さらに、その選択された番組にたいして、決定ボタン等のリモコンキー操作を行うことにより、その番組の詳細な情報を拡大表示させることも可能である。本実施の形態におけるテレビ受信機１０によるＶＯＤコンテンツ利用のトリガー部の一例として、これらの、番組詳細画面を表示させる際に、同一画面上にＯＳＤ（Ｏｎ  Ｓｃｒｅｅｎ  Ｄｉｓｐｌａｙ）を用いて、「関連コンテンツをＶＯＤで探す」というボタンを表示し、ユーザーはボタン選択し、決定ボタンなどで決定する（図５（ｂ）参照）。
【００２２】
次に番組識別ＩＤを指定してから、ＶＯＤコンテンツ視聴までのテレビ受信機１０及びＶＯＤサーバ２０の動作を図６に示す。
【００２３】
テレビ受信器１０はユーザーの操作によって起動された際（Ｓ１）、まず始めに、テレビ受信器１０の起動の際に選択されていた番組識別ＩＤ（ＮｅｔｗｏｒｋＩＤ、ＴＳＩＤ、ＳｅｒｖｉｃｅＩＤ及びＥｖｅｎｔＩＤ）をＶＯＤサーバ２０に送る（Ｓ２）。
【００２４】
ＶＯＤサーバ２０では、不揮発性記憶媒体８に記憶されているリストデータのうち、テレビ受信機１０から送られた番組識別ＩＤと一致する番組識別ＩＤを持つリストデータを特定し、特定したリストデータに記憶されているコンテンツＩＤとコンテンツＩＤに対応するコンテンツ名を記載したＶＯＤコンテンツを示すＶＯＤコンテンツリストをテレビ受信機１０に送り返す（Ｓ３）。
【００２５】
テレビ受信機１０では、送り返されてきたＶＯＤコンテンツリストデータをユーザーに提示する。ＶＯＤコンテンツリストデータは、例えば、図７のように表示される。
【００２６】
テレビ受信機の１０ユーザーは、表示されたＶＯＤコンテンツリストの中から、所望のコンテンツを選択し、決定ボタンを押すことで、コンテンツＩＤをＶＯＤサーバ２０に送る（Ｓ４）。
【００２７】
ＶＯＤサーバ２０では、送られてきたコンテンツＩＤに対応するコンテンツのｓｔｒｅａｍデータを、ＩＰネットワークを介して、ＶＯＤクライアントに送出開始する（Ｓ５）。
【００２８】
以上の流れにより、テレビ受信器１０のユーザーは、テレビ放送番組と関連したＶＯＤコンテンツを受信することができる。
【００２９】
かかる構成によると、テレビ放送番組そのものを利用してＶＯＤへの窓口とすることで、ユーザーは、自身でＶＯＤコンテンツ検索を行う言葉を一切考えることなく、ＶＯＤコンテンツリストを提示させることができる。これにより、ユーザーは視聴するＶＯＤコンテンツの選択が容易になる。
【００３０】
例えば、テレビ放送で映画を視聴していた利用者が視聴を終えた際、その映画に多大な興味を寄せたとする。利用者は、その映画の他のシリーズ、製作した監督の他作品、映画出演者が出演する他作品、等に興味を寄せる可能性が類推できる。ＶＯＤサーバ上では、このような「この番組の視聴者ならば、こういったコンテンツに興味を寄せるだろう」という類推に基づき、コンテンツリストを作成しておくことができ、瞬時に利用者に類似コンテンツを提示できる。また、単にキーワード等によるマッチングで作成したコンテンツリストではなく、真に放送番組の内容の意味を解釈した上で、関連コンテンツリストを生成しておくことができるため、番組視聴者が所望したコンテンツとのミスマッチは少ないと考えられる。
【００３１】
また、テレビ放送で映画、ドラマ等の紹介を行い、ＶＯＤでそれらを課金して利用者に提供するサービス形態、あるいは、テレビ放送番組のＩＰ再放送が可能となれば、利用者が見逃した番組を後から視聴を可能にする窓口として、すでに放送を終えた番組情報（ＥＰＧ）から、所望の放送番組を選択して、ＶＯＤとして放送を終えた番組自身を提供するサービス形態なども可能である。
【産業上の利用可能性】
【００３２】
テレビ放送番組を、ＶＯＤサービスへの導入口とすることで、ＶＯＤサービス利用の敷居を下げることができ、ＶＯＤ利用者の拡大が図れる。また、テレビ放送と、ＶＯＤを連携させた新たなサービスモデルを展開できる可能性がある。
【図面の簡単な説明】
【００３３】
【図１】本発明の一実施の形態によるＶＯＤ送受信システムの構成を示すブロック図
【図２】図１に示す主記憶部２に記憶されるＥＩＴセクションを示す図
【図３】図１に示す不揮発性記憶媒体３に記憶される番組情報を示す図
【図４】図１に示す不揮発性記憶媒体８に記憶されるリストデータを示す図
【図５】電子番組表の一例を示す図
【図６】本発明の一実施の形態によるＶＯＤ送受信システムの動作を示すフローチャート
【図７】ＶＯＤコンテンツリストの一例を示す図
【符号の説明】
【００３４】
１    ＴＳデコーダ部
２    主記憶部
３    不揮発性記憶媒体
４    ネットワークＩ／Ｆ
５    ネットワークＩ／Ｆ
６    主記憶部
７    ＣＰＵ
８    不揮発性記憶媒体
１０    テレビ受信機
２０    ＶＯＤサーバ
３０    ＩＰネットワーク網
【図１】
2008312084.tif 000003
【図２】
2008312084.tif 000004
【図３】
2008312084.tif 000005
【図４】
2008312084.tif 000006
【図５】
2008312084.tif 000007
【図６】
2008312084.tif 000008
【図７】
2008312084.tif 000009